(57)【要約】  シェービングユニットは、毛（１１）を切断するための少なくとも１つのカッタ（１０，１２）と、カッタ又は複数のカッタ（１０，１２）に近接して隣接して延びるガイド表面（４）と、ガイド表面（４）から突出する毛ガイド（３）とを含む。毛ガイド（３）は、カッタ又は複数のカッタ（１０，１２）から離間する領域からカッタ又は複数のカッタ（１０，１２）に向かって延びる溝（５）を境界付け、毛ガイド（３）は、ガイド表面（４）から離れて面する皮膚接触表面（６）と、ガイド表面（４）に面する表面（１６）とをそれぞれ有し、皮膚接触表面（６）は、少なくとも部分的に丸く、毛捕捉縁部（７）に沿って、ガイド表面（４）に面する表面（１６）と交わる。
2009529943.tif 000002
【特許請求の範囲】
【請求項１】
毛を切断するための少なくとも１つのカッタと、
該少なくとも１つのカッタに近接して隣接して延びるガイド表面と、
該ガイド表面から突出する毛ガイドとを含み、
該毛ガイドは、前記少なくとも１つのカッタから離間する領域から前記少なくとも１つのカッタに向かって延びる溝を境界付け、各毛ガイドは、前記ガイド表面から離れて面する皮膚接触表面と、前記ガイド表面に面する表面とを有し、前記皮膚接触表面は、少なくとも部分的に丸く、毛捕捉縁部に沿って、前記ガイド表面に面する前記表面と交わる、
シェービングユニット。
【請求項２】
前記毛捕捉縁部及び前記ガイド表面に面する前記表面に隣接する前記皮膚接触表面の部分は、最大でも１１０度の角度を囲む、請求項１に記載のシェービングユニット。
【請求項３】
前記毛ガイドは、細長く、前記少なくとも１つのカッタに向かう方向に向けられる、請求項１又は２に記載のシェービングユニット。
【請求項４】
前記溝は、細長く、前記少なくとも１つのカッタに向かう方向に向けられる、上記請求項のうちのいずれか１項に記載のシェービングユニット。
【請求項５】
各ガイドのために、前記ガイド表面に対して垂直な、前記毛捕捉縁部と前記ガイド表面から最も離れる前記皮膚接触表面の部分との間の距離は、０．１ｍｍと１．０ｍｍとの間である、上記請求項のうちのいずれか１項に記載のシェービングユニット。
【請求項６】
少なくとも、前記カッタのうちの固定的なもの内の複数の孔が、前記溝の１つとそれぞれ一致する、上記請求項のうちのいずれか１項に記載のシェービングユニット。
【請求項７】
前記毛ガイドと前記カッタ又は前記カッタのうちの最も近接するものとの間の距離は、１ｍｍ以下である、上記請求項のうちのいずれか１項に記載のシェービングユニット。
【請求項８】
前記皮膚接触表面の曲線の最小半径は、０．１ｍｍよりも大きい、上記請求項のうちのいずれか１項に記載のシェービングユニット。
【請求項９】
上記請求項のうちのいずれか１項に記載のシェービングユニットを含むシェーバ。
【発明の詳細な説明】
【技術分野】
【０００１】
本発明は、少なくとも１つのカッタと毛ガイドとを含むシェービングヘッドに関する。
【背景技術】
【０００２】
毛を捕捉し且つ毛がカッタによって確実に切り取ることを可能にするよう捕捉された毛を皮膚から突出した向きに維持するための毛ガイドを備えるシェーバ(shaver)は、安全カミソリ及び電気カミソリの双方とも、当該技術分野において既知である。
【０００３】
シェーバ及びトリマのような電気毛切断装置は、一般的には、ハウジングを有し、ハウジングは、その一端部に、１つ又はそれよりも多くのシェービングヘッド内の回転可能に或いは振動的に移動可能なカッタを駆動するためのモータを収容する。本質的に静止的な外部カッタの孔から突出する毛は、外部カッタと外部カッタに沿って移動する内部カッタとの間で切り取られる。
【０００４】
米国特許第４，３１０，９６８号には、剃られる毛を真っ直ぐにするためのブラシを備えるシェーバが開示されている。ブラシは、毛と係合するためのフック形状端部を有する剛毛を有する。シェービングヘッドを皮膚の上で移動することによって、剛毛のフック形状端部は、屈曲した毛又は皮膚に対して平らに位置する毛と係合し、皮膚からより突出する向きに毛を引っ張る。よって、シェーバのカッタは、毛をより確実に切断し得る。
【０００５】
実際的には、外部カッタの最も近接する境界に対して垂直な複数のフランジを備えるフォイルシェーバが既知である。シェーバが皮膚の上で移動されると、これらのフランジは、カッタの通過前に、剃られるべき皮膚を引き延ばし、カッタの切断動作を強化するよう毛を向ける。
【０００６】
切断されるべき毛を位置付けるガイドの問題は、ガイドが皮膚を刺激するか、或いは、毛が皮膚に密接して沿って確実に切り取られることを可能にする位置で切り取られるべき毛をカッタに向けるのに余り効果的ではないことである。
【発明の開示】
【発明が解決しようとする課題】
【０００７】
効果的な毛ガイド作用をもたらすと同時に、そのような毛ガイド有効性と通常関連付けられるよりも少ない皮膚刺激を引き起こす解決策を提供することが本発明の目的である。
【課題を解決するための手段】
【０００８】
本発明によれば、この目的は、請求項１に従ったシェービングユニットを提供することによって達成される。
【０００９】
ガイドの丸い表面は、刺激が全く或いは殆ど引き起こされないよう、ガイドと皮膚との間の滑らかな接触をもたらす（皮膚は押し下げられ且つ／或いはガイドと皮膚との間の接触部の上流に膨らみを形成し得る）。丸い表面は、ガイドの下で皮膚を押し下げ、同時に、ガイドの側部に沿って上向きに並びに毛捕捉縁部を越えて皮膚膨らみを作成する。
【００１０】
ガイドの両側に沿う皮膚の膨らみの故に、毛捕捉縁部は、皮膚に対して平らに位置する毛と係合し、皮膚の上を強く引っ掻くことなしに、毛がカミソリ刃によって切断される前に、毛を位置付け得る。
【００１１】
本発明の具体的な実施態様は、従属項に示される。
【００１２】
本発明のさらなる特徴、効果、及び、詳細は、実施例を参照して、詳細な説明中に示され、それらの一部は、図面中に示される
【発明を実施するための最良の形態】
【００１３】
図１乃至３に示されるシェービング装置は、３つのシェービングヘッド１と、シェービングヘッド１を内部に懸架するキャップとを含むシェービングユニットを有する。各シェービングヘッド１は、毛入孔１３を有する静止的な外部切断部材又は剪断板１２と、被駆動切断部材１０とを有する。切断部材１０，１２は、外部切断部材１２の外部表面２がキャップの表面と略同一平面である位置に切断部材１０，１２が押し込まれ得るよう、弾性的に懸架される。これは使用中に通常加えられる外部カッタ１２と皮膚８との間の最大接触圧力の制限をもたらす。毛入孔１３内に捕捉される毛１１が切断素子１０，１２の協働によって取り取られるよう、可動カッタ１０は、電気モータ（図示せず）を用いて、既知の方法で、外部カッタ１２の内表面に沿う移動のために駆動可能である。
【００１４】
外部カッタ１２に近接に隣接して、毛ガイド１３がガイド面４から突出している。ガイド３は、シェービング領域から離間する地域からシェービング領域に向かって延びる溝５を境界付ける。
【００１５】
ガイド３は、ガイド表面４から離れて面する部分的に丸い皮膚接触表面６と、ガイド表面４に向かって面する表面１６とをそれぞれ有する。皮膚接触表面６及びガイド表面４に面する表面１６は、毛捕捉縁部７に沿って交わる。本実施例において、毛捕捉縁部７は、鋭い（なまくらではないという意味で鋭い）縁部であり、好ましくは、少なくとも、研磨又は研削のような特殊手段又は後処理なしに、毛ガイドの通常の射出成形によって達成され得るほど鋭い。
【００１６】
「丸い」という用語は、ここでは、表面の曲線は、曲線の外側が表面の外側の上にあるようであるという意味で使用される。
【００１７】
図２及び３に最良に示されるように、本実施例では、毛ガイド３は、概ねマッシュルーム形状の断面をそれぞれ有し、ガイド表面４と、皮膚接触表面６及びガイド表面４から離れて面する表面を有する毛ガイド３のガイド部との間に、フランジ１４を備える。ガイド部は、フランジ１４よりも広く且つ長い。
【００１８】
図２は、本発明の実施例に従ったシェービングユニットの毛ガイド３がどのように皮膚の上を摺動するかを例証している。皮膚８の上の移動の方向は、矢印９によって指し示されている。
【００１９】
皮膚接触表面６は、皮膚８が局所的に押し下げられ、膨れがガイド３の前に生じ得るとしても、皮膚接触表面６が皮膚８上で滑らかに摺動するよう、丸い形状を有する。皮膚接触表面６の曲線の故に、毛捕捉縁部７は、案内表面４から最も離れた皮膚接触表面６の部分よりも、ガイド表面４から少なく離れて位置付けられる。これは毛捕捉縁部７が皮膚の上を相当な圧力で引っ掻くことを防ぐ（皮膚特性に依存して、僅かな引っ掻きは多かれ少なかれ依然として時折起こり得る）。それにも拘わらず、毛ガイド３は、実際には、皮膚８内に僅かに押し下げられ、皮膚は毛ガイド３の前で膨らみ８、毛ガイド３の間の溝５に入る傾向があるので、毛捕捉縁部７は、シェービングユニットが皮膚上で移動されるときに、皮膚上に平らに位置する毛１１と確実に係合する。ガイド表面４に面する表面１６と協働して、毛捕捉縁部７は、毛１１が皮膚８に近接して確実に切り取られる向きに毛を案内する。
【００２０】
毛ガイドの前方及び両側の膨らみを計上するために、毛切断縁部７とガイド表面４から最も離れる皮膚接触表面６の部分との間の、ガイド表面４に対して垂直に測定される距離は、好ましくは、０．１ｍｍと１．０ｍｍとの間である。
【００２１】
外部カッタ１２はキャップ内に押し込まれて図示される位置に至り、外部カッタ１２の外表面２は、キャップ内で、ガイド表面４から最も離れる毛ガイド３の部分とほぼ同一平面に延びる。剪断板１２内の孔１３は、被駆動切断部材１０が皮膚表面に近接して毛を切断し得るよう、皮膚８が少し膨らむための余地を残す。
【００２２】
シェービングユニットが皮膚８の上を移動されるとき、皮膚表面は、毛捕捉縁部７に沿って移動する。よって、毛ガイド３の毛捕捉縁部７は、毛ガイド３の移動方向９に対して直角にその経路を横断して皮膚８の上に位置する毛１１を捕捉し得る。毛ガイド３が移動し続けると、毛１１は、毛がカッタ１０，１２によって切断されるまで、毛１１と皮膚８との間を通過する毛ガイド３の比較的広いガイド部によって毛が皮膚８から突出するような位置に維持される。
【００２３】
短い毛１１が、切断前に毛ガイド３によって解放されるのを回避するために、毛ガイド３とカッタ１０，１２のうちの最も近接するものとの間の距離は、好ましくは、１ｍｍ以下である（これは約２４時間の髭成長に対応する）。また、捕捉される毛を確実に切断するために、捕捉される毛が固定の切断部材１２内の孔１３に容易に進入し得るよう、固定の切断部材１２内の孔１３は、溝５のうちの１つとそれぞれ一致することが有利である。
【００２４】
本実施例において、毛ガイド３が狭くあり得るが、それにも拘わらず、皮膚接触表面６と皮膚８との間の接触圧力を、皮膚刺激を概ね引き起こさないレベルに維持するために、十分に大きな総皮膚接触表面積を構成するよう、毛ガイド３は細長く、カッタ１０，１２に向かう方向に向けられている。さらに、溝５も細長くシェービング領域に向かう方向に向けられるという事実も、多くの毛捕捉縁部をもたらすと同時に、皮膚圧力を限定的に維持する効果に寄与する。
【００２５】
断面で見られるとき、毛捕捉縁部７及びガイド表面４に面する表面１６に直接的に沿う皮膚接触表面６の断面は、好ましくは、殆ど１１０度の角度を囲む。これは、カッタ１０，１２が毛に到達するまで、毛を確実に捕捉し且つ毛を直立位置に維持するために好ましい。他方、皮膚刺激を中和するために、この囲み角度は、少なくとも５０度、より好ましくは、少なくとも６０度であることが好ましい。
【００２６】
皮膚の上での毛の滑らかな摺動のためには、皮膚接触表面６の曲線の最少半径が０．１ｍｍよりも大きい、好ましくは、０．２ｍｍよりも大きいならば有利である。
【００２７】
図４には、本発明に従ったシェービングユニットの第二実施例の毛ガイドが示されている。この実施例によれば、毛ガイドは細長くなく、毛接触表面５６は、球の一部を形成し、毛捕捉縁部７は、円を形成している。この毛ガイドの茎部６４は、円筒形状であり、ガイド表面から離れて面する表面６６は、毛捕捉縁部５７に沿って延びる狭いリングに過ぎない。
【００２８】
図５には、本発明に従ったシェービングユニットのさらに他の実施例の断面が示されている。この実施例では、毛捕捉縁部１０７は、後方端部よりもガイド表面１０４からより遠く離れる前方端部を有する。もし毛ガイドが皮膚の上を移動されるならば、矢印１１５によって示される方向において毛ガイドに接近する毛は、前方端部によって確実に捕捉され、カッタ１１０によって切り取られるためにカッタに確実に導かれるよう、毛が毛捕捉縁部１０７及び／又はガイド表面１０４に面する表面１１６に沿って進むに応じて徐々に持ち上げられる。皮膚接触表面１０６の丸い部分は、カッタに隣接するその端部でよりも、その前方端部で、より大きな半径の曲線を有する。動作中、カッタの固定のものは、その外表面１０２が皮膚接触表面１０６とほぼ同一平面にある位置にある。
【００２９】
前述から、請求項に示される本発明のフレームワーク内で、上述された実施例以外の多くの変形も着想可能であることが当業者に明らかであろう。例えば、毛ガイドは、シェーバに解放可能に接続可能な１つ又はそれよりも多くの置換可能な部分の形態で提供され得る。また、ガイドは、カッタが背後で往復的に移動可能な薄い可撓なメッシュスクリーンの形態の外部カッタを有するフォイルシェーバの一部として、或いは、安全カミソリとの組み合わせで提供され得る。
【図面の簡単な説明】
【００３０】
【図１】本発明のシェービングユニットを含むシェーバの実施例を概略的に示す斜視図及び拡大詳細図である。
【図２】図１に従ったシェーバのシェービングユニットの一部及び毛ガイドを概略的に示す側面図である。
【図３】図２の線III−IIIに沿う側断面図である。
【図４】本発明に従ったシェービングユニットの第二実施例の毛ガイドを示す斜視図である。
【図５】本発明に従ったシェービングユニットの第三実施例の一部及び毛ガイドを概略的に示す側面図である。
【図１】
2009529943.tif 000003
【図２】
2009529943.tif 000004
【図３】
2009529943.tif 000005
【図４】
2009529943.tif 000006
【図５】
2009529943.tif 000007
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
毛を切断するための少なくとも１つのカッタと、
該少なくとも１つのカッタに近接して隣接して延びるガイド表面と、
該ガイド表面から突出する毛ガイドとを含み、
該毛ガイドは、前記少なくとも１つのカッタから離間する領域から前記少なくとも１つのカッタに向かって延びる溝を境界付け、各毛ガイドは、前記ガイド表面から離れて面する皮膚接触表面と、前記ガイド表面に面する表面とを有し、前記皮膚接触表面は、少なくとも部分的に丸い、
シェービングユニットであって、
前記皮膚接触表面は、毛捕捉縁部に沿って、前記ガイド表面に面する前記表面と交わる、
シェービングユニット。
【請求項２】
前記毛捕捉縁部及び前記ガイド表面に面する前記表面に隣接する前記皮膚接触表面の部分は、最大でも１１０度の角度を囲む、請求項１に記載のシェービングユニット。
【請求項３】
前記毛ガイドは、細長く、前記少なくとも１つのカッタに向かう方向に向けられる、請求項１に記載のシェービングユニット。
【請求項４】
前記溝は、細長く、前記少なくとも１つのカッタに向かう方向に向けられる、請求項１に記載のシェービングユニット。
【請求項５】
各ガイドのために、前記ガイド表面に対して垂直な、前記毛捕捉縁部と前記ガイド表面から最も離れる前記皮膚接触表面の部分との間の距離は、０．１ｍｍと１．０ｍｍとの間である、請求項１に記載のシェービングユニット。
【請求項６】
少なくとも、前記カッタのうちの固定的なもの内の複数の孔が、前記溝の１つとそれぞれ一致する、請求項１に記載のシェービングユニット。
【請求項７】
前記毛ガイドと前記カッタ又は前記カッタのうちの最も近接するものとの間の距離は、１ｍｍ以下である、請求項１に記載のシェービングユニット。
【請求項８】
前記皮膚接触表面の曲線の最小半径は、０．１ｍｍよりも大きい、請求項１に記載のシェービングユニット。
【請求項９】
上記請求項のうちのいずれか１項に記載のシェービングユニットを含むシェーバ。
【手続補正２】
【補正対象書類名】明細書
【補正対象項目名】全文
【補正方法】変更
【補正の内容】
【発明の詳細な説明】
【技術分野】
【０００１】
本発明は、毛を切断するための少なくとも１つのカッタと、少なくとも１つのカッタに近接して隣接して延びるガイド表面と、ガイド表面から突出する毛ガイドとを含み、毛ガイドは、少なくとも１つのカッタから離間する領域から少なくとも１つのカッタに向かって延びる溝を境界付け、各毛ガイドは、ガイド表面から離れて面する皮膚接触表面と、ガイド表面に面する表面とを有し、皮膚接触表面は、少なくとも部分的に丸い、シェービングユニットに関する。
【０００２】
本発明は、さらに、本発明に従ったシェービングユニットを含むシェーバに関する。
【背景技術】
【０００３】
毛を捕捉し且つ毛がカッタによって確実に切り取ることを可能にするよう捕捉された毛を皮膚から突出した向きに維持するための毛ガイドを備えるシェーバ(shaver)は、安全カミソリ及び電気カミソリの双方とも、当該技術分野において既知である。
【０００４】
シェーバ及びトリマのような電気毛切断装置は、一般的には、ハウジングを有し、ハウジングは、その一端部に、１つ又はそれよりも多くのシェービングヘッド内の回転可能に或いは振動的に移動可能なカッタを駆動するためのモータを収容する。本質的に静止的な外部カッタの孔から突出する毛は、外部カッタと外部カッタに沿って移動する内部カッタとの間で切り取られる。
【０００５】
米国特許第４，３１０，９６８号には、剃られる毛を真っ直ぐにするためのブラシを備えるシェーバが開示されている。ブラシは、毛と係合するためのフック形状端部を有する剛毛を有する。シェービングヘッドを皮膚の上で移動することによって、剛毛のフック形状端部は、屈曲した毛又は皮膚に対して平らに位置する毛と係合し、皮膚からより突出する向きに毛を引っ張る。よって、シェーバのカッタは、毛をより確実に切断し得る。
【０００６】
実際的には、外部カッタの最も近接する境界に対して垂直な複数のフランジを備えるフォイルシェーバが既知である。シェーバが皮膚の上で移動されると、これらのフランジは、カッタの通過前に、剃られるべき皮膚を引き延ばし、カッタの切断動作を強化するよう毛を向ける。
【０００７】
切断されるべき毛を位置付けるガイドの問題は、ガイドが皮膚を刺激するか、或いは、毛が皮膚に密接して沿って確実に切り取られることを可能にする位置で切り取られるべき毛をカッタに向けるのに余り効果的ではないことである。
【発明の開示】
【発明が解決しようとする課題】
【０００８】
効果的な毛ガイド作用をもたらすと同時に、そのような毛ガイド有効性と通常関連付けられるよりも少ない皮膚刺激を引き起こす解決策を提供することが本発明の目的である。
【課題を解決するための手段】
【０００９】
本発明によれば、この目的は、請求項１に従ったシェービングユニットを提供することによって達成される。
【００１０】
ガイドの丸い表面は、刺激が全く或いは殆ど引き起こされないよう、ガイドと皮膚との間の滑らかな接触をもたらす（皮膚は押し下げられ且つ／或いはガイドと皮膚との間の接触部の上流に膨らみを形成し得る）。丸い表面は、ガイドの下で皮膚を押し下げ、同時に、ガイドの側部に沿って上向きに並びに毛捕捉縁部を越えて皮膚膨らみを作成する。
【００１１】
ガイドの両側に沿う皮膚の膨らみの故に、毛捕捉縁部は、皮膚に対して平らに位置する毛と係合し、皮膚の上を強く引っ掻くことなしに、毛がカミソリ刃によって切断される前に、毛を位置付け得る。
【００１２】
本発明の具体的な実施態様は、従属項に示される。
【００１３】
本発明のさらなる特徴、効果、及び、詳細は、実施例を参照して、詳細な説明中に示され、それらの一部は、図面中に示される
【発明を実施するための最良の形態】
【００１４】
図１乃至３に示されるシェービング装置は、３つのシェービングヘッド１と、シェービングヘッド１を内部に懸架するキャップとを含むシェービングユニットを有する。各シェービングヘッド１は、毛入孔１３を有する静止的な外部切断部材又は剪断板１２と、被駆動切断部材１０とを有する。切断部材１０，１２は、外部切断部材１２の外部表面２がキャップの表面と略同一平面である位置に切断部材１０，１２が押し込まれ得るよう、弾性的に懸架される。これは使用中に通常加えられる外部カッタ１２と皮膚８との間の最大接触圧力の制限をもたらす。毛入孔１３内に捕捉される毛１１が切断素子１０，１２の協働によって取り取られるよう、可動カッタ１０は、電気モータ（図示せず）を用いて、既知の方法で、外部カッタ１２の内表面に沿う移動のために駆動可能である。
【００１５】
外部カッタ１２に近接に隣接して、毛ガイド１３がガイド面４から突出している。ガイド３は、シェービング領域から離間する地域からシェービング領域に向かって延びる溝５を境界付ける。
【００１６】
ガイド３は、ガイド表面４から離れて面する部分的に丸い皮膚接触表面６と、ガイド表面４に向かって面する表面１６とをそれぞれ有する。皮膚接触表面６及びガイド表面４に面する表面１６は、毛捕捉縁部７に沿って交わる。本実施例において、毛捕捉縁部７は、鋭い（なまくらではないという意味で鋭い）縁部であり、好ましくは、少なくとも、研磨又は研削のような特殊手段又は後処理なしに、毛ガイドの通常の射出成形によって達成され得るほど鋭い。
【００１７】
「丸い」という用語は、ここでは、表面の曲線は、曲線の外側が表面の外側の上にあるようであるという意味で使用される。
【００１８】
図２及び３に最良に示されるように、本実施例では、毛ガイド３は、概ねマッシュルーム形状の断面をそれぞれ有し、ガイド表面４と、皮膚接触表面６及びガイド表面４から離れて面する表面を有する毛ガイド３のガイド部との間に、フランジ１４を備える。ガイド部は、フランジ１４よりも広く且つ長い。
【００１９】
図２は、本発明の実施例に従ったシェービングユニットの毛ガイド３がどのように皮膚の上を摺動するかを例証している。皮膚８の上の移動の方向は、矢印９によって指し示されている。
【００２０】
皮膚接触表面６は、皮膚８が局所的に押し下げられ、膨れがガイド３の前に生じ得るとしても、皮膚接触表面６が皮膚８上で滑らかに摺動するよう、丸い形状を有する。皮膚接触表面６の曲線の故に、毛捕捉縁部７は、案内表面４から最も離れた皮膚接触表面６の部分よりも、ガイド表面４から少なく離れて位置付けられる。これは毛捕捉縁部７が皮膚の上を相当な圧力で引っ掻くことを防ぐ（皮膚特性に依存して、僅かな引っ掻きは多かれ少なかれ依然として時折起こり得る）。それにも拘わらず、毛ガイド３は、実際には、皮膚８内に僅かに押し下げられ、皮膚は毛ガイド３の前で膨らみ８、毛ガイド３の間の溝５に入る傾向があるので、毛捕捉縁部７は、シェービングユニットが皮膚上で移動されるときに、皮膚上に平らに位置する毛１１と確実に係合する。ガイド表面４に面する表面１６と協働して、毛捕捉縁部７は、毛１１が皮膚８に近接して確実に切り取られる向きに毛を案内する。
【００２１】
毛ガイドの前方及び両側の膨らみを計上するために、毛切断縁部７とガイド表面４から最も離れる皮膚接触表面６の部分との間の、ガイド表面４に対して垂直に測定される距離は、好ましくは、０．１ｍｍと１．０ｍｍとの間である。
【００２２】
外部カッタ１２はキャップ内に押し込まれて図示される位置に至り、外部カッタ１２の外表面２は、キャップ内で、ガイド表面４から最も離れる毛ガイド３の部分とほぼ同一平面に延びる。剪断板１２内の孔１３は、被駆動切断部材１０が皮膚表面に近接して毛を切断し得るよう、皮膚８が少し膨らむための余地を残す。
【００２３】
シェービングユニットが皮膚８の上を移動されるとき、皮膚表面は、毛捕捉縁部７に沿って移動する。よって、毛ガイド３の毛捕捉縁部７は、毛ガイド３の移動方向９に対して直角にその経路を横断して皮膚８の上に位置する毛１１を捕捉し得る。毛ガイド３が移動し続けると、毛１１は、毛がカッタ１０，１２によって切断されるまで、毛１１と皮膚８との間を通過する毛ガイド３の比較的広いガイド部によって毛が皮膚８から突出するような位置に維持される。
【００２４】
短い毛１１が、切断前に毛ガイド３によって解放されるのを回避するために、毛ガイド３とカッタ１０，１２のうちの最も近接するものとの間の距離は、好ましくは、１ｍｍ以下である（これは約２４時間の髭成長に対応する）。また、捕捉される毛を確実に切断するために、捕捉される毛が固定の切断部材１２内の孔１３に容易に進入し得るよう、固定の切断部材１２内の孔１３は、溝５のうちの１つとそれぞれ一致することが有利である。
【００２５】
本実施例において、毛ガイド３が狭くあり得るが、それにも拘わらず、皮膚接触表面６と皮膚８との間の接触圧力を、皮膚刺激を概ね引き起こさないレベルに維持するために、十分に大きな総皮膚接触表面積を構成するよう、毛ガイド３は細長く、カッタ１０，１２に向かう方向に向けられている。さらに、溝５も細長くシェービング領域に向かう方向に向けられるという事実も、多くの毛捕捉縁部をもたらすと同時に、皮膚圧力を限定的に維持する効果に寄与する。
【００２６】
断面で見られるとき、毛捕捉縁部７及びガイド表面４に面する表面１６に直接的に沿う皮膚接触表面６の断面は、好ましくは、殆ど１１０度の角度を囲む。これは、カッタ１０，１２が毛に到達するまで、毛を確実に捕捉し且つ毛を直立位置に維持するために好ましい。他方、皮膚刺激を中和するために、この囲み角度は、少なくとも５０度、より好ましくは、少なくとも６０度であることが好ましい。
【００２７】
皮膚の上での毛の滑らかな摺動のためには、皮膚接触表面６の曲線の最少半径が０．１ｍｍよりも大きい、好ましくは、０．２ｍｍよりも大きいならば有利である。
【００２８】
図４には、本発明に従ったシェービングユニットの第二実施例の毛ガイドが示されている。この実施例によれば、毛ガイドは細長くなく、毛接触表面５６は、球の一部を形成し、毛捕捉縁部７は、円を形成している。この毛ガイドの茎部６４は、円筒形状であり、ガイド表面から離れて面する表面６６は、毛捕捉縁部５７に沿って延びる狭いリングに過ぎない。
【００２９】
図５には、本発明に従ったシェービングユニットのさらに他の実施例の断面が示されている。この実施例では、毛捕捉縁部１０７は、後方端部よりもガイド表面１０４からより遠く離れる前方端部を有する。もし毛ガイドが皮膚の上を移動されるならば、矢印１１５によって示される方向において毛ガイドに接近する毛は、前方端部によって確実に捕捉され、カッタ１１０によって切り取られるためにカッタに確実に導かれるよう、毛が毛捕捉縁部１０７及び／又はガイド表面１０４に面する表面１１６に沿って進むに応じて徐々に持ち上げられる。皮膚接触表面１０６の丸い部分は、カッタに隣接するその端部でよりも、その前方端部で、より大きな半径の曲線を有する。動作中、カッタの固定のものは、その外表面１０２が皮膚接触表面１０６とほぼ同一平面にある位置にある。
【００３０】
前述から、請求項に示される本発明のフレームワーク内で、上述された実施例以外の多くの変形も着想可能であることが当業者に明らかであろう。例えば、毛ガイドは、シェーバに解放可能に接続可能な１つ又はそれよりも多くの置換可能な部分の形態で提供され得る。また、ガイドは、カッタが背後で往復的に移動可能な薄い可撓なメッシュスクリーンの形態の外部カッタを有するフォイルシェーバの一部として、或いは、安全カミソリとの組み合わせで提供され得る。
【図面の簡単な説明】
【００３１】
【図１】本発明のシェービングユニットを含むシェーバの実施例を概略的に示す斜視図及び拡大詳細図である。
【図２】図１に従ったシェーバのシェービングユニットの一部及び毛ガイドを概略的に示す側面図である。
【図３】図２の線III−IIIに沿う側断面図である。
【図４】本発明に従ったシェービングユニットの第二実施例の毛ガイドを示す斜視図である。
【図５】本発明に従ったシェービングユニットの第三実施例の一部及び毛ガイドを概略的に示す側面図である。
【国際調査報告】
2009529943.tif 000008
2009529943.tif 000009